(57)【要約】      （修正有）【課題】汎用の成形機を用いても、回転防止の突起および凹部を容易かつ精度よく成形することができる歯科作業模型の歯型模型支持基台を提供することを目的としている。【解決手段】ベース部材２に、ダウエルピン嵌合孔２１の一部を形成するとともに、隣接する部分から固定プレート部材１側に突出するように設けられた環状突部２４を形成し、固定プレート部材１の、固定プレート部１１の裏面１１ｄに、ダウエルピン１２の基端部を囲むように他の部分より凹設され、ダウエルピン１２がダウエルピン嵌合孔２１に嵌合したとき、環状突部２４が嵌合して、固定プレート部１１の位置決めをする環状凹溝１１ｅを設けるようにした。【選択図】図１
2018007943.tif 000002
【特許請求の範囲】
【請求項１】
表面に歯型模型が固定される歯型模型固定面を有する固定プレート部と、この固定プレート部の裏面側から突出するように設けられた複数のダウエルピンを有する樹脂組成物からなる固定プレート部材と、
前記ダウエルピンが嵌合する複数のダウエルピン嵌合孔を有する樹脂組成物からなるベース部材を備える歯科作業模型の歯型模型支持基台において、
前記ベース部材が、前記ダウエルピン嵌合孔の一部を形成するとともに、隣接する部分から固定プレート部材側に突出するように設けられた環状突部を有し、
前記固定プレート部材が、前記固定プレート部の裏面に、ダウエルピンの基端部を囲むように他の部分より凹設され、前記ダウエルピンが前記ダウエルピン嵌合孔に嵌合したとき、前記環状突部が嵌合して、固定プレート部の位置決めをする環状凹部を備えていることを特徴とする歯型模型支持基台。
【請求項２】
表面に歯型模型が固定される歯型模型固定面を有する固定プレート部と、この固定プレート部の裏面側から突出するように設けられた複数のダウエルピンを有する樹脂組成物からなる固定プレート部材と、
前記ダウエルピンが嵌合する複数のダウエルピン嵌合孔を有する射出成形されてなるベース部材を備える歯科作業模型の歯型模型支持基台において、
前記ベース部材が、前記固定プレート部材側の面のダウエルピン嵌合孔形成位置ごとに、他の部分より凹設された嵌合凹部を有し、この嵌合凹部の底にダウエルピン嵌合孔の固定プレート部材側端が開口していて、
前記固定プレート部材が、前記嵌合凹部に嵌合する嵌合突部を有し、各嵌合突部の先端からダウエルピンが突出していることを特徴とする歯型模型支持基台。
【請求項３】
ダウエルピンのダウエルピン嵌合孔への嵌合状態で前記ダウエルピンの外壁面またはダウエルピン嵌合孔の内壁面に圧接状態となり、前記ダウエルピンの外壁面とダウエルピン嵌合孔の内壁面との圧接を抑止する突条が、前記ダウエルピンの外壁面およびダウエルピン嵌合孔の内壁面の少なくともいずれかに沿って、前記ダウエルピンのダウエルピン嵌合孔への嵌合方向に平行に設けられている請求項１または請求項２に記載の歯型模型支持基台。
【請求項４】
ダウエルピン嵌合孔の軸方向の長さが、ダウエルピンの軸方向の長さより短い請求項１〜請求項３のいずれかに記載の歯型模型支持基台。
【請求項５】
固定プレート部材が、固定プレート部とこの固定プレート部に少なくとも１つのダウエルピンを備えた複数の分割体から形成されている請求項１〜請求項４のいずれかに記載の歯形模型支持基台。
【請求項６】
固定プレート部材は、固定プレート部の歯型模型固定面の切断想定位置に標線を備えている請求項１〜請求項５のいずれかに記載の歯形模型支持基台。
【発明の詳細な説明】
【技術分野】
【０００１】
本発明は、歯科作業模型の歯型模型支持基台に関する。
【背景技術】
【０００２】
インレー、クラウンなどの補綴物は、従来から、以下のようにして作製されている。
すなわち、まず、歯の治療を行う患者の歯列の陰型をとり、この陰型に石膏を流し込んで歯型模型を作製する。
【０００３】
そして、歯型模型にダウエルピンをセットした状態にして、各ダウエルピンをベース部材のピン位置決めのためのダウエルピン嵌合孔にセットして歯科作業模型を作製する。
つぎに、このようにして作製した歯科作業模型の、歯形模型の補綴物を作製しようとする歯の部分（以下、「補綴部」と記す）を、隣接する歯の部分からダウエルピンが装着された状態で切り離し、歯型ブロック（支台歯）を作製する。
得られた歯型ブロックの元の位置に抜き差ししながら、歯型ブロックに装着した補綴物が、隣接する歯の間にうまく収まるように、また、かみ合わせが問題ないか調整しつつ補綴物が仕上げられるようになっている。
【０００４】
しかし、上記従来の歯科作業模型の作製方法では、ドリルによる石膏製の歯型模型にダウエルピンを装着する穴を穿設する作業や、この穴にダウエルピンを植設する作業などを行なう必要があるが、ダウエルピンを正確に装着するのに熟練を要するという問題がある。
そこで、歯科作業模型を容易に作製し、補綴物の作製を正確にかつ容易に行えるように、射出成形によって得られる固定プレート部材と、ベース部材を備える歯型模型支持基台（特許文献１参照）が提案されている。
【０００５】
具体的に説明すると、上記歯型模型支持基台は、固定プレート部材が、表面に歯型模型が接着固定される歯型模型固定面を有する固定プレート部と、この固定プレート部の裏面（歯型模型固定面とは反対側の面）に予め突設された複数のダウエルピンを備えている。
また、ベース部材は、上記固定プレート部に設けられたダウエルピンのピッチに合うようにダウエルピン嵌合孔を備えている。
【０００６】
したがって、上記歯型模型支持基台を用いれば、従来と同様にして石膏で歯型模型を作製し、得られた歯型模型を固定プレート部の歯型模型固定面に固定するだけで歯科作業模型を作製できる。
すなわち、従来のように、歯型模型にダウエルピンを装着する穴を穿設する作業や、この穴にダウエルピンを植設する作業などが不要になるため、歯科作業模型の作製作業が容易になる。
【０００７】
また、上記歯型模型支持基台は、歯型ブロック形成の際、固定プレート部材の一部が他の部分から切断されるが、ベース部材は、切断されることがない。
したがって、歯型ブロックの作製が完了した歯型模型支持基台は、補綴作業が完了したのち、固定プレート部材のみ交換すれば、再び歯型ブロックの作製に用いることができる。
すなわち、ベース部材は、何度も使用可能であり、経済的である。
【先行技術文献】
【特許文献】
【０００８】
【特許文献１】特開2004-283259号公報
【発明の概要】
【発明が解決しようとする課題】
【０００９】
ところで、上記従来の歯型模型支持基台は、歯型ブロックの回転防止を図るために、固定プレート部材の固定プレート部の各ダウエルピンから離れた位置に凹部が設けられ、基台側のダウエルピン嵌合孔から離れた位置に、上記凹部に嵌まり込む小さい突起が設けられている。
しかし、上記歯形模型支持基台の場合、汎用の成形機では突起が成形時のひけなどによって歪みが生じるおそれがある。
【００１０】
そして、ひけなどによって、突起が歪んだ状態で成形され、１つでも突起が凹部にうまく嵌合しないと、ダウエルピンをダウエルピン嵌合孔に完全に嵌合させることができない。
そこで、成形には、高度な精度が要求されるが、上記のような小さい突起を部分的に設けるような場合、汎用の成形機を用いたのでは、中々精度が出しにくく、最終的に削りだしなどの余分な作業が必要になり、生産性が悪いという問題がある。
【００１１】
本発明は、上記事情に鑑みて、汎用の成形機を用いても、回転防止の突起および凹部を容易かつ精度よく成形することができる歯科作業模型の歯型模型支持基台を提供することを目的としている。
【課題を解決するための手段】
【００１２】
上記目的を達成するために、本発明にかかる歯型模型支持基台（以下、「本発明の歯型模型支持基台」は、表面に歯型模型が固定される歯型模型固定面を有する固定プレート部と、この固定プレート部の裏面側から突出するように設けられた複数のダウエルピンを有する樹脂組成物からなる固定プレート部材と、前記ダウエルピンが嵌合する複数のダウエルピン嵌合孔を有する樹脂組成物からなるベース部材を備える歯科作業模型の歯型模型支持基台において、前記ベース部材が、前記ダウエルピン嵌合孔の一部を形成するとともに、隣接する部分から固定プレート部材側に突出するように設けられた環状突部を有し、前記固定プレート部材が、前記固定プレート部の裏面に、ダウエルピンの基端部を囲むように他の部分より凹設され、前記ダウエルピンが前記ダウエルピン嵌合孔に嵌合したとき、前記環状突部が嵌合して、固定プレート部の位置決めをする環状凹溝を備えていることを特徴としている。
【００１３】
また、本発明の歯型模型支持基台は、表面に歯型模型が固定される歯型模型固定面を有する固定プレート部と、この固定プレート部の裏面側から突出するように設けられた複数のダウエルピンを有する樹脂組成物からなる固定プレート部材と、前記ダウエルピンが嵌合する複数のダウエルピン嵌合孔を有する射出成形されてなるベース部材を備える歯科作業模型の歯型模型支持基台において、前記ベース部材が、前記固定プレート部材側の面のダウエルピン嵌合孔形成位置ごとに、他の部分より凹設された嵌合凹部を有し、この嵌合凹部の底にダウエルピン嵌合孔の固定プレート部材側端が開口していて、前記固定プレート部材が、前記嵌合凹部に嵌合する嵌合突部を有し、各嵌合突部の先端からダウエルピンが突出していることを特徴としている。
【００１４】
本発明の歯型模型支持基台は、特に限定されないが、ウエルピンのダウエルピン嵌合孔への嵌合状態で前記ダウエルピンの外壁面またはダウエルピン嵌合孔の内壁面に圧接状態となり、前記ダウエルピンの外壁面とダウエルピン嵌合孔の内壁面との圧接を抑止する突条が、前記ダウエルピンの外壁面およびダウエルピン嵌合孔の内壁面の少なくともいずれかに沿って、前記ダウエルピンのダウエルピン嵌合孔への嵌合方向に平行に設けられている構成とされていてもよい。
すなわち、突条によって、ダウエルピンの外壁面とダウエルピン嵌合孔の内壁面との間に隙間が生じ、成形時にダウエルピンの捩れ方向の歪みが発生しても、ダウエルピンをダウエルピン嵌合孔にスムーズに嵌合させることができる。
【００１５】
しかも、突条が、ダウエルピンの外壁面またはダウエルピン嵌合孔の内壁面に必ず圧接されるので、何回も歯型ブロックをベース部材から抜き差ししても歯型ブロックがしっかりとベース部材に保持され、咬合器にセットしても抜け落ちることがない。
また、圧接面積が少なくて済むため、抜き差しを軽い力で容易に行うことができるとともに、ダウエルピン嵌合孔の内壁面への負荷が少なく、ダウエルピン嵌合孔が変形しにくいため、ベース部材の耐久性が向上し、ベース部材の交換頻度が少なくなる。
【００１６】
本発明の歯型模型支持基台は、ダウエルピン嵌合孔の軸方向の長さを、ダウエルピンの軸方向の長さより短くしておくことが好ましい。
すなわち、ダウエルピンがダウエルピン嵌合孔に正常に嵌合された状態で、ダウエルピンの先端が、ダウエルピン嵌合孔の端部から外側に突出した状態になる。
したがって、この突出した部分をダウエルピン嵌合孔側に指等で押し込むことによって、歯型ブロックをベース部材から容易に取り外すことができる。
【００１７】
なお、ダウエルピンのダウエルピン嵌合孔からの突出長さは、特に限定されないが、１〜２ｍｍ程度が好ましい。
すなわち、短すぎると、指で押し込む際に、突出部が指内に完全に食い込んでダウエルピンに押圧力が伝わらないおそれがある。一方、長すぎると、押し込む際にダウエルピンが変形したり、折れたりするおそれがある。
【００１８】
本発明の歯型模型支持基台において、固定プレート部材の材質は、固定プレート部材が、鋸によって歯型模型とともに切断されやすいものであれば、特に限定されないが、たとえば、ポリスチレンをマトリックス樹脂とし、石膏やかき殻など貝殻の焼成物粉末などを充填材として含む樹脂組成物が挙げられる。
一方、ベース部材は、ベース部材を何度も再利用することを考慮すれば、上記固定プレート部材より軟質の樹脂組成物で形成することが好ましい。
因みに、固定プレート部材を石膏やかき殻など貝殻の焼成物粉末などを充填材として含む樹脂組成物で成形した場合、ベース部材の材質としては、ポリスチレンをマトリックス樹脂とし、タルクを充填材として含む樹脂組成物が挙げられる。
【００１９】
本発明の歯型模型支持基台は、特に限定されないが、固定プレート部材が、固定プレート部とこの固定プレート部に少なくとも１つのダウエルピンを備えた複数の分割体から形成されている構成としてもよい。
すなわち、補綴物を作製する際には、歯型模型の補綴物作製部分と、その位置決めを行う補綴物作製部分の少なくとも一端に隣接する歯の部分が、固定プレート部に接着固定されていればよい。
したがって、上記のように固定プレート部が複数の分割体に分割されていれば、新たな歯型模型を用いて、新たな補綴物を作製する場合、歯型模型の補綴物作製部分と、その位置決めを行う補綴物作製部分の少なくとも一端に隣接する歯の部分が接着された分割体のみを新しいものに取り替え、分割プレート部で歯形模型を支持するだけの接着を施さなかった分割体をそのまま再使用することによって、コストダウンを図ることができる。
【００２０】
本発明の歯型模型支持基台は、特に限定されないが、固定プレート部材の、固定プレート部の歯型模型固定面の切断想定位置に標線を備えている構成とすることが好ましい。
すなわち、歯型模型は、患者の歯茎の形状や歯並びによって大きさや湾曲度合いが千差万別であるため、固定プレート部は、形や大きさの異なる歯型模型であっても支持固定できるように、ある程度歯型模型固定面が大きめに作製されている。
したがって、歯型模型を接着支持した状態で、必ず歯形模型固定面の一部が外部に露出した状態になっており、標線も視認できる。したがって、標線に沿うように鋸を動かせば、ダウエルピンやベース部材を切断することなく、容易かつ正確に歯型ブロックを作製することができる。
【００２１】
なお、標線の作製方法は、特に限定されないが、成形と同時に設けてもよいし、固定プレート部材成形後、印刷で設けるようにしてもよい。
成形時に同時に設ける方法としては、標線部分の表面を平滑となるようにし、他の部分をしぼ加工するなどの方法が挙げられる。
【００２２】
また、本発明の歯型模型支持基台は、ダウエルピンおよびダウエルピン嵌合孔が、長軸と短軸を備える横断面形状に形成されていることが好ましい。
すなわち、ダウエルピンがダウエルピン嵌合孔内で回転することを防止することができる。
【発明の効果】
【００２３】
本発明の歯型模型支持基台は、以上のように、表面に歯型模型が固定される歯型模型固定面を有する固定プレート部と、この固定プレート部の裏面側から突出するように設けられた複数のダウエルピンを有する樹脂組成物からなる固定プレート部材と、前記ダウエルピンが嵌合する複数のダウエルピン嵌合孔を有する樹脂組成物からなるベース部材を備える歯科作業模型の歯型模型支持基台において、前記ベース部材が、前記ダウエルピン嵌合孔の一部を形成するとともに、隣接する部分から固定プレート部材側に突出するように設けられた環状突部を有し、前記固定プレート部材が、前記固定プレート部の裏面に、ダウエルピンの基端部を囲むように他の部分より凹設され、前記ダウエルピンが前記ダウエルピン嵌合孔に嵌合したとき、前記環状突部が嵌合して、固定プレート部の位置決めをする環状凹溝を備えている、あるいは、前記ベース部材が、前記固定プレート部材側の面のダウエルピン嵌合孔形成位置ごとに、他の部分より凹設された嵌合凹部を有し、この嵌合凹部の底にダウエルピン嵌合孔の固定プレート部材側端が開口していて、前記固定プレート部材が、前記嵌合凹部に嵌合する嵌合突部を有し、各嵌合突部の先端からダウエルピンが突出していることを特徴としている。
【００２４】
すなわち、本発明の歯型模型支持基台は、樹脂の流れがスムーズに行われる厚みの比較的大きいダウエルピン部分およびダウエルピン嵌合孔近傍に環状凹溝および環状突部、あるいは、嵌合凹部および嵌合突部を形成するようにしたので、汎用の成形機を用いても容易に精度よく、固定プレート部材およびベース部材を成形することができる。
【図面の簡単な説明】
【００２５】
【図１】本発明にかかる歯型模型支持基台の１つの実施の形態をあらわす一部分解斜視図である。
【図２】図１の歯型模型支持基台の平面図である。
【図３】図１の歯型模型支持基台の分割体を裏面側から見た斜視図である。
【図４】図３の分割体の平面図である。
【図５】図３の分割体の底面図である。
【図６】図３の分割体の右側面図である。
【図７】図３の分割体の正面図である。
【図８】図３の分割体の背面図である。
【図９】図５のＢ−Ｂ断面図である。
【図１０】図５のＣ部拡大図である。
【図１１】図６のＤ部拡大図である。
【図１２】図１の歯型模型支持基台のベース部材の平面図である。
【図１３】図１２のベース部材の底面図である。
【図１４】図１２のベース部材の右側面図である。
【図１５】図１２のベース部材の正面図である。
【図１６】図１２のベース部材の背面図である。
【図１７】ダウエルピンがダウエルピン嵌合孔に嵌合した状態を断面でみた概略端面図である。
【図１８】図１の歯型模型支持基台に歯型模型を支持固定した状態の平面図である。
【図１９】歯型模型の接着状態を説明する斜視図である。
【発明を実施するための形態】
【００２６】
以下に、本発明を、その実施の形態をあらわす図面を参照しつつ詳しく説明する。
図１および図２は、本発明にかかる歯型模型支持基台の１つの実施の形態をあらわしている。
【００２７】
図１および図２に示すように、この歯型模型支持基台（以下、「基台」とのみ記す）Ａは、左右一対の分割体１ａ，１ｂからなる固定プレート部材１と、ベース部材２を備えている。
分割体１ａ，１ｂは、例えば、石膏をポリスチレン樹脂に３０〜４０重量％程度の割合で混入させた合成樹脂組成物を低発泡状態に射出成形して得られ、図１および図２に示すように、固定プレート部１１が左右対称の半馬蹄形をしている。
【００２８】
そして、固定プレート部１１は、その表面側が歯型模型固定面１１ａとなっていて、標線となる線状平滑部１１ｂを除き、しぼ加工されているとともに、後述するダウエルピン１２の直上部分にダウエルピン位置を歯型模型固定面１１ａ側から確認できるように長円形をしたダウエルピン位置目印１１ｃが凹設されている。
また、図１に示すように、固定プレート部１１の内外側面には、後述するダウエルピン１２の長軸と同一平面内になるように設けられた、ダウエルピン１２の位置確認突条１１ｆが突設されている。
【００２９】
さらに、各分割体１ａ，１ｂは、図３〜図１１に示すように、固定プレート部１１の裏面側から８本のダウエルピン１２が垂設されている。
各ダウエルピン１２は、固定プレート部１１の裏面に設けられた凹部の底面に垂設されて、その基端部と、凹部の周壁面とによって、後述するベース部材２の環状突部２４が嵌まり込む環状凹溝１１ｅを形成している。
【００３０】
また、各ダウエルピン１２は、横断面長方形をしていて、図９に示すように、基端（固定プレート部１１側端）から先端に向かって対向する壁面に１度傾き先端に向かって徐々に細くなるように形成されているとともに、断面長方形の長辺側の２面にそれぞれ２本ずつ、短辺側の２面にそれぞれ１つの突条が突設されている。
なお、各部の寸法を図９〜図１１に例示してあるが、本発明の目的を阻害しない範囲で各部の寸法は適宜変更することができる。
【００３１】
ベース部材２は、ポリスチレンをマトリックス樹脂とし、タルクを充填材として含む樹脂組成物を射出成形して得られ、図１２〜図１６に示すように、ベース本体部２０と、１６のダウエルピン嵌合孔２１と、１６のプレート受台２２と、１５の鋸退避用溝２３と、１６の環状突部２４を備えている。
ベース本体部２０は、図１に示すように、各ダウエルピン嵌合孔２１の長軸を含む面に沿うようにダウエルピン嵌合孔位置確認用突条２０ａが側壁面に突設されている。
【００３２】
プレート受台２２は、隣接するプレート受台２２との間に鋸退避用溝２３が形成されるようにベース本体部２０の外縁より内側に入った位置でベース本体部２０から台状に立ち上がるように設けられていて、その上面で固定プレート部１１の裏面１１ｄを受けるようになっている。
また、各プレート受台２２は、ベース本体２０の外縁からうつがその長手方向の寸法（固定プレート部１１の馬蹄形の幅方向の寸法）が、固定プレート部１１の馬蹄形の幅方向の寸法より短くなっている。
さらに、プレート受台２２は、各ダウエルピン嵌合孔２１の長軸を含む面に沿うようにダウエルピン嵌合孔位置確認用突条２２ａが側壁面に突設されている。
【００３３】
環状突部２４は、プレート受台２２の上面から立ち上がるように設けられ、ダウエルピン嵌合孔２１の一部を構成するとともに、図１７に示すように、環状凹溝１１ｅに嵌合する大きさに形成されている。
ダウエルピン嵌合孔２１は、ダウエルピン１２とほぼ同じ断面形状をしていて、その長さが、ダウエルピン１２の固定プレート部１１の裏面１１ｄからの高さより１〜２ｍｍ短くなっている。
【００３４】
すなわち、図１７に示すように、固定プレート部１１の裏面１１ｄがプレート受台２２に受けられるまで、ダウエルピン１２がダウエルピン嵌合孔２１に嵌合されると、ダウエルピン１２の先端が、ダウエルピン嵌合孔２１から１〜２ｍｍ突出する。
また、このとき、環状突部２４が、環状凹溝１１ｅ内に嵌合してダウエルピン１２の捩れが抑止されるとともに、突条１３がダウエルピン嵌合孔２１の内壁面に圧接され、ダウエルピン１２の外壁面と、ダウエルピン嵌合孔２１の内壁面とは軽く接触するあるいは隙間を形成した状態となる。
【００３５】
さらに、このとき、プレート受台２２の長手方向の端縁は、固定プレート部１１の内外縁から内側に入った状態になる。
すなわち、固定プレート部１１と、ベース本体部２０の端縁との間に、歯型ブロックを抜き差しするときの手がかりとなる隙間が生じる。
【００３６】
この歯型模型支持基台Ａは、たとえば、図１８および図１９に示すように、従来とどうようにして形成された石膏製の歯型模型４を作製し、この歯型模型４の補綴物６を作製する部分を受ける分割体１ａの固定プレート部１１の歯型模型固定面１１ａにのみ接着剤を介して歯型模型４を固定する。
そして、もう一方の分割体１ｂの固定プレート部１１は、歯型模型４の底面を下方から支持するだけにして、歯科作業模型５を作製する。
なお、歯型模型４は、少なくとも石膏専用鋸（図示せず）を用いて図１８に示すＥ線と、Ｆ線に沿って歯型模型４を切断するとともに、固定プレート部１１を切断して得た補綴物６を作製する歯型ブロックの位置決めとなる歯型ブロックに隣接する部分のみ接着すればよい。
【００３７】
そして、歯型ブロックの抜き差しを何回か行いつつ補綴物６を従来と同様にして作製する。
なお、歯科作業模型５は、通常、ベース部材２の開口部を蓋部材（図示せず）によって閉じた状態で咬合器にセットされるようになっている。
【００３８】
この歯型模型支持基台Ａは、上記のようになっており、以下のような優れた効果を備えている。
（１）歯型ブロックの回転を抑える環状凹溝１１ｅおよび環状突部２４が、肉厚の比較的厚いダウエルピン１２およびダウエルピン嵌合孔２１の形成部に隣接するように設けられているので、汎用の成形機を用いても、環状凹溝１１ｅおよび環状突部２４を精度よく成形することができる。
すなわち、高価な精密成形機を持ち無くてもよいとともに、削りだし等の調整作業も極力減らすことができ、コストダウンをはかることができる。
（２）ダウエルピン１２の側壁面に突条１３を備えているので、ダウエルピン１２をダウエルピン嵌合孔２１に嵌合したとき、突条１３がダウエルピン嵌合孔２１の内壁面に圧接され、ダウエルピン１２とダウエルピン嵌合孔２１内壁面との接触面積が少ない。
したがって、歯型ブロックの抜き差しを容易に行うことができる。
（３）ダウエルピン１２がダウエルピン嵌合孔２１に正常に嵌合された状態で、ダウエルピン１２の先端が、ダウエルピン嵌合孔２１の端部から１〜２ｍｍ突出するので、ダウエルピン１２の先端を指で押圧するだけで、歯型ブロックをベース部材２から容易に取り外すことができる。
（４）歯型模型固定面１１ａに標線となる線状平滑部１１ｂが設けられているので、鋸で歯型模型４を切断し歯型ブロックを作製する際に固定プレート部１１の鋸退避用溝２３を臨む位置を正確に鋸で切断することができる。
すなわち、鋸でベース部材２を傷つけることを容易に防止するころができる。
（５）歯型模型固定面１１ａにダウエルピン位置目印１１ｃが設けられているので、歯型模型４の各歯をダウエルピン１２の直上にくるように固定プレート部１１に接着しやすい。
（６）歯型模型固定面１１ａがしぼ加工されているので、接着剤による歯型模型４の接着強度を上げることができる。
（７）固定プレート部材１が２つの分割体１ａ，１ｂから構成されているので、歯型模型４の補綴物６を形成する部分およびこの部分に隣接する部分を受ける側の分割体１ａ（１ｂ）のみに歯型模型４を接着するようにできる。
すなわち、歯型模型４を接着していない分割体１ｂ（１ａ）は、再び使用することができ、廃棄物を減らすことができる。
（８）ダウエルピン嵌合孔位置確認用突条２０ａ，ダウエルピン嵌合孔位置確認用突条２２ａおよびダウエルピン位置確認用突条１１ｆを備えているので、ダウエルピン１２がまっすぐダウエルピン嵌合孔２１に嵌合されているか否かを目視で容易に確認できる。
また、ウエルピン嵌合孔位置確認用突条２０ａ，ダウエルピン嵌合孔位置確認用突条２２ａおよびダウエルピン位置確認用突条１１ｆによってダウエルピン１２の位置を確認できるので、歯型ブロックを切り出す際に鋸でダウエルピン１２を傷つけることを防止することができる。
（９）プレート受台２２の長手寸法が固定プレート部１１の幅寸法より短く、固定プレート部１１と、ベース本体部２０の端縁との間に、歯型ブロックを抜き差しするときの手がかりとなる隙間が生じるので、歯型ブロック抜き差しを容易に行うことができる。
【００３９】
本発明は、上記の実施の形態に限定されない。たとえば、上記の実施の形態では、ダウエルピンが横断面略長方形であったが、断面長円形、断面楕円形状、断面円形であっても構わない。
上記の実施の形態では、ベース部材に鋸退避用溝が設けられていたが、固定プレート部の鋸退避用溝に対面する部分に同様に鋸が入り込む幅の溝を設けるようにしても構わない。
【００４０】
上記の実施の形態では、固定プレート部材が、２つの分割体から構成されていたが、３〜１６の分割体に分割されていても構わないし、分割しなくても構わない。
上記の実施の形態では、ダウエルピンの側面に突条が設けられていたが、無くても構わない。突条の数も５本以下でも７本以上でも構わない。
【００４１】
上記の実施の形態では、固定プレート部の裏面に設けた凹部の底からダウエルピンを突設させて、ダウエルピンの基端部に沿って環状凹溝を形成し、ダウエルピン嵌合孔の一部を構成する環状突部をこの環状凹溝に嵌合させるようになっていたが、ベース部材のプレート受部のダウエルピン嵌合孔形成位置ごとに、プレート受部の受面から下方に向かって嵌合凹部を凹設し、この嵌合凹部の底からダウエルピン嵌合孔を下方に向かって穿設する、すなわち、ダウエルピン嵌合孔の固定プレート部側の端部が、嵌合凹部の底に開口する一方、固定プレート部の裏面に前記嵌合凹部に嵌合する嵌合突部を突設し、各嵌合突部の先端からダウエルピンを突設させるようにしても構わない。
上記の実施の形態では、ダウエルピンの位置確認用にウエルピン嵌合孔位置確認用突条ダウエルピン嵌合孔位置確認用突条およびダウエルピン位置確認用突条が設けられていたが、位置確認ができれば、突条に代えて凹溝やラインを印刷したものでも構わない。
【符号の説明】
【００４２】
Ａ  歯型模型支持基台
１  固定プレート部材
１ａ，１ｂ  分割体
１１  固定プレート部
１１ａ  歯型模型固定面
１１ｂ  線状平滑部（標線）
１１ｃ  ダウエルピン位置目印
１１ｄ  裏面
１１ｅ  環状凹溝
１１ｆ  位置確認突条
１２  ダウエルピン
１３  突条
２  ベース部材
２０  ベース本体部
２１  ダウエルピン嵌合孔
２２  プレート受台
２３  鋸退避用溝
２４  環状突部
４  歯型模型
５  歯科作業模型
６  補綴物
【図１】
2018007943.tif 000003
【図２】
2018007943.tif 000004
【図３】
2018007943.tif 000005
【図４】
2018007943.tif 000006
【図５】
2018007943.tif 000007
【図６】
2018007943.tif 000008
【図７】
2018007943.tif 000009
【図８】
2018007943.tif 000010
【図９】
2018007943.tif 000011
【図１０】
2018007943.tif 000012
【図１１】
2018007943.tif 000013
【図１２】
2018007943.tif 000014
【図１３】
2018007943.tif 000015
【図１４】
2018007943.tif 000016
【図１５】
2018007943.tif 000017
【図１６】
2018007943.tif 000018
【図１７】
2018007943.tif 000019
【図１８】
2018007943.tif 000020
【図１９】
2018007943.tif 000021
【手続補正書】
【提出日】平成29年5月11日(2017.5.11)
【手続補正１】
【補正対象書類名】特許請求の範囲
【補正対象項目名】全文
【補正方法】変更
【補正の内容】
【特許請求の範囲】
【請求項１】
表面に歯型模型が固定される歯型模型固定面を有する固定プレート部と、この固定プレート部の裏面側から突出するように設けられた複数のダウエルピンを有する樹脂組成物からなる固定プレート部材と、
前記ダウエルピンが嵌合する複数のダウエルピン嵌合孔を有する樹脂組成物からなるベース部材を備える歯科作業模型の歯型模型支持基台において、
前記ベース部材が、前記ダウエルピン嵌合孔の一部を形成するとともに、隣接する部分から固定プレート部材側に突出するように設けられた環状突部を有し、
前記固定プレート部材が、前記固定プレート部の裏面に、ダウエルピンの基端部を囲むように他の部分より凹設され、前記ダウエルピンが前記ダウエルピン嵌合孔に嵌合したとき、前記環状突部が嵌合して、固定プレート部の位置決めをする環状凹部を備えていることを特徴とする歯型模型支持基台。
【請求項２】
ダウエルピンのダウエルピン嵌合孔への嵌合状態で前記ダウエルピンの外壁面またはダウエルピン嵌合孔の内壁面に圧接状態となり、前記ダウエルピンの外壁面とダウエルピン嵌合孔の内壁面との圧接を抑止する突条が、前記ダウエルピンの外壁面およびダウエルピン嵌合孔の内壁面の少なくともいずれかに沿って、前記ダウエルピンのダウエルピン嵌合孔への嵌合方向に平行に設けられている請求項１に記載の歯型模型支持基台。
【請求項３】
ダウエルピン嵌合孔の軸方向の長さが、ダウエルピンの軸方向の長さより短い請求項１または請求項２に記載の歯型模型支持基台。
【請求項４】
固定プレート部材が、固定プレート部とこの固定プレート部に少なくとも１つのダウエルピンを備えた複数の分割体から形成されている請求項１〜請求項３のいずれかに記載の歯形模型支持基台。
【請求項５】
固定プレート部材は、固定プレート部の歯型模型固定面の切断想定位置に標線を備えている請求項１〜請求項４のいずれかに記載の歯形模型支持基台。
【手続補正２】
【補正対象書類名】明細書
【補正対象項目名】００１３
【補正方法】削除
【補正の内容】
【手続補正３】
【補正対象書類名】明細書
【補正対象項目名】００２３
【補正方法】変更
【補正の内容】
【００２３】
本発明の歯型模型支持基台は、以上のように、表面に歯型模型が固定される歯型模型固定面を有する固定プレート部と、この固定プレート部の裏面側から突出するように設けられた複数のダウエルピンを有する樹脂組成物からなる固定プレート部材と、前記ダウエルピンが嵌合する複数のダウエルピン嵌合孔を有する樹脂組成物からなるベース部材を備える歯科作業模型の歯型模型支持基台において、前記ベース部材が、前記ダウエルピン嵌合孔の一部を形成するとともに、隣接する部分から固定プレート部材側に突出するように設けられた環状突部を有し、前記固定プレート部材が、前記固定プレート部の裏面に、ダウエルピンの基端部を囲むように他の部分より凹設され、前記ダウエルピンが前記ダウエルピン嵌合孔に嵌合したとき、前記環状突部が嵌合して、固定プレート部の位置決めをする環状凹溝を備えていることを特徴としている。